(57)【要約】【課題】  方立と無目との連結部において、湿式のシール材を用いることなく、高い防水性を有するカーテンウォールを提供する。【解決手段】  上下の方立１，２と左右の無目３とを備え、上側の方立は、下端小口から室内側面が下方に延出して延出壁部１１を形成しており、上側の方立と、延出壁部と、下側の方立とで囲まれた空間に左右から無目が嵌め込んであり、延出壁部は、無目の室内側面３１に対向して上方立防水ブロック６を有しており、下側の方立は、上端小口に下方立防水ブロック７を有しており、左右の無目は、対向する小口にそれぞれ無目防水ブロック８を有しており、両無目防水ブロックは、互いに圧接する見込面８１と、無目の室内側面と面一の室内側面８２を有しており、上方立防水ブロックの室外側面６１が無目防水ブロック及び無目の室内側面に圧接しており、上方立防水ブロックの下面６２が下方立防水ブロックの上面７１に圧接している。【選択図】      図１
2011021372.tif 000002
【特許請求の範囲】
【請求項１】
上下の方立と左右の無目とを備え、上側の方立は、下端小口から室内側面が下方に延出して延出壁部を形成しており、上側の方立と、延出壁部と、下側の方立とで囲まれた空間に左右から無目が嵌め込んであり、延出壁部は、無目の室内側面に対向して上方立防水ブロックを有しており、下側の方立は、上端小口に下方立防水ブロックを有しており、左右の無目は、対向する小口にそれぞれ無目防水ブロックを有しており、両無目防水ブロックは、互いに圧接する見込面と、無目の室内側面と面一の室内側面を有しており、上方立防水ブロックの室外側面が無目防水ブロック及び無目の室内側面に圧接しており、上方立防水ブロックの下面が下方立防水ブロックの上面に圧接していることを特徴とするカーテンウォール。
【請求項２】
無目防水ブロックの上面は、無目の見込面に向けて下り勾配で傾斜していることを特徴とする請求項１記載のカーテンウォール。
【請求項３】
下方立防水ブロックは、上下方向に貫通する排水部を有しており、方立は、略筒形で中空部を有しており、下方立防水ブロックの排水部が下側の方立の中空部と連通していることを特徴とする請求項１又は２記載のカーテンウォール。
【請求項４】
下側の方立の室外側に押縁が設けてあり、下側の方立に設けた押縁の上端小口に押縁防水ブロックを有しており、押縁防水ブロックの上面が無目防水ブロックの下面に圧接していることを特徴とする請求項１、２又は３記載のカーテンウォール。
【請求項５】
上下左右に腕部が延びる十字形のブラケットを備え、上下の方立及び左右の無目は、ブラケットの各腕部に連結してあることを特徴とする請求項１、２、３又は４記載のカーテンウォール。
【発明の詳細な説明】
【技術分野】
【０００１】
本発明は、上下の方立と左右の無目とを突き合わせる連結部を有するカーテンウォールに関する。
【背景技術】
【０００２】
従来、カーテンウォールの方立と無目との連結部は、湿式のシール材でシールして防水していた。しかし、湿式のシール材は、シール材により外壁が汚れること、劣化しやすいこと、養生期間が必要でありまた雨天時には施工ができず作業性が悪いこと、シール目地がポケット状になり水がたまりやすいことなどが問題であった。そこで、特許文献１のカーテンウォールは、湿式のシール材を用いず、方立と無目のそれぞれの端部にシリコンスポンジゴムを配してあり、左右の無目に配したシリコンスポンジゴム同士が当接し、さらにその上下に方立に配したシリコンスポンジゴムが当接することで防水している（図１０）。こうした防水用のゴムは成形品であるから管理がしやすく、シール材のように外壁を汚すこともない。また、耐久性、作業性も良好である。
【先行技術文献】
【特許文献】
【０００３】
【特許文献１】特開２００５−１２７０９７号公報
【発明の概要】
【発明が解決しようとする課題】
【０００４】
しかしながら、特許文献１のカーテンウォールにおいては、シリコンスポンジゴム同士の当接面が室外側から室内側まで連続しているから、当接面に水が浸入した場合、その水が室内側まで到達してしまうおそれがある。また、連結部周辺の水の流れについても考慮されていない。
【０００５】
本発明は、上記事情を鑑みたものであり、方立と無目との連結部において、湿式のシール材を用いることなく、高い防水性を有するカーテンウォールを提供することを目的とする。
【課題を解決するための手段】
【０００６】
本発明のうち請求項１の発明は、上下の方立と左右の無目とを備え、上側の方立は、下端小口から室内側面が下方に延出して延出壁部を形成しており、上側の方立と、延出壁部と、下側の方立とで囲まれた空間に左右から無目が嵌め込んであり、延出壁部は、無目の室内側面に対向して上方立防水ブロックを有しており、下側の方立は、上端小口に下方立防水ブロックを有しており、左右の無目は、対向する小口にそれぞれ無目防水ブロックを有しており、両無目防水ブロックは、互いに圧接する見込面と、無目の室内側面と面一の室内側面を有しており、上方立防水ブロックの室外側面が無目防水ブロック及び無目の室内側面に圧接しており、上方立防水ブロックの下面が下方立防水ブロックの上面に圧接していることを特徴とする。
【０００７】
本発明のうち請求項２の発明は、無目防水ブロックの上面は、無目の見込面に向けて下り勾配で傾斜していることを特徴とする。
【０００８】
本発明のうち請求項３の発明は、下方立防水ブロックは、上下方向に貫通する排水部を有しており、方立は、略筒形で中空部を有しており、下方立防水ブロックの排水部が下側の方立の中空部と連通していることを特徴とする。
【０００９】
本発明のうち請求項４の発明は、下側の方立の室外側に押縁が設けてあり、下側の方立に設けた押縁の上端小口に押縁防水ブロックを有しており、押縁防水ブロックの上面が無目防水ブロックの下面に圧接していることを特徴とする。
【００１０】
本発明のうち請求項５の発明は、上下左右に腕部が延びる十字形のブラケットを備え、上下の方立及び左右の無目は、ブラケットの各腕部に連結してあることを特徴とする。
【発明の効果】
【００１１】
本発明のうち請求項１の発明によれば、上側の方立の延出壁部に無目の室内側面に対向して上方立防水ブロックが設けてあり、無目防水ブロックの室内側面が上方立防水ブロックの室外側面に圧接していることから、水が上方立防水ブロックより室内側に浸入するのを確実に防ぐことができる。また、無目の室内側面が上方立防水ブロックの室外側面に圧接していることから、方立に対する無目の水平方向の角度変位の許容範囲が拡大し、多少のズレが有る場合でも防水性を確保できる。
【００１２】
本発明のうち請求項２の発明によれば、無目防水ブロックの上面が傾斜しているので、水が連結部から左右方向に導かれる。また、方立及び無目に嵌め込まれたガラスパネルが層間変位した場合でも、上記の傾斜によりガラスパネルと無目防水ブロックとの衝突を回避できる。
【００１３】
本発明のうち請求項３の発明によれば、無目防水ブロックの互いに圧接する見込面に水が浸透した場合でも、その水は下方立防水ブロックの排水部から下側の方立の中空部へと導かれ、当該連結部の一段下の連結部に到達し、無目防水ブロックにより左右方向に導かれる。
【００１４】
本発明のうち請求項４の発明によれば、押縁に設けた押縁防水ブロックが無目防水ブロックに圧接しているので、押縁の上端部からの水の浸入を防ぐ。
【００１５】
本発明のうち請求項５の発明によれば、十字形のブラケットのそれぞれの腕部に上下の方立及び左右の無目を連結すればよいので、連結部における方立及び無目の位置決めが容易である。
【図面の簡単な説明】
【００１６】
【図１】本発明のカーテンウォールの連結部の斜視図である。
【図２】連結部の組み立て途中の斜視図である。
【図３】連結部の組み立て途中の斜視図である。
【図４】連結部の組み立て後の外観の斜視図である。
【図５】図７のＡ−Ａ線断面図であり、連結部の横断面図である。
【図６】図７のＢ−Ｂ線断面図であり、連結部の縦断面図である。
【図７】カーテンウォールの正面図である。
【図８】無目防水ブロックの詳細図である。
【図９】ガラスパネルが層間変位した場合の説明図である。
【発明を実施するための形態】
【００１７】
以下、本発明の実施の形態を図面に基づいて説明する。このカーテンウォールは、図７に示すように、格子状に組んだ方立１，２及び無目３にガラスパネルＰを嵌め込んだもので、上側の方立１、下側の方立２及び左右の無目３を突き合わせる連結部Ｊを有する。そして図５に示すように、方立１は略四角筒形状で中空部１２を有し、室外側には押縁４を取り付けるための取付溝１３が形成してあり、室内側にはブラケット１００をネジ止めするための溝状のネジ止め部１４が形成してある。押縁４は、断面が略Ｔ字形状で方立１の取付溝１３に取り付けてあり、方立１と押縁４のそれぞれに設けたタイト材ＴによりガラスパネルＰを挟み込んで固定してある。また図６に示すように、無目３は略四角筒形状で室外側に向けて下向きに傾斜した補強材３２を有し、室外側に延出部３３が形成してあり、室内側にはブラケット１００をネジ止めするためのネジ止め部３４が形成してある。押縁１０は断面が略Ｆ字形状で、無目３の延出部３３の先端部に形成した係合部３６に係合して取り付けてあり、無目３と押縁１０のそれぞれに設けたタイト材ＴによりガラスパネルＰを挟み込んで固定してある。そして、ブラケット１００はその室内側端において躯体Ｆにネジ止めしてある。
【００１８】
続いて、連結部Ｊの詳細について、組み立て後及び組み立て途中の斜視図である図１〜図４に基づいて説明する。ただし、これらの図において、タイト材及びガラスパネルについては省略した。この連結部Ｊにおいて、上側の方立１の下端小口からは室内側面が下方に延出して、延出壁部１１を形成している。延出壁部１１の室外側には、略平板形状の上方立防水ブロック６を接着して設けてある。一方、下側の方立２の上端小口には、略コ字形状の下方立防水ブロック７が、前側に開口する向きに設けてある。下方立防水ブロック７は、左右方向中央で二分割されており、下面には突出部（図示省略）を備え、この突出部を方立２の中空部２２に差し込んである。そしてコ字形状の中央の欠損部分を上下に貫通する排水部７２とし、排水部７２は中空部２２と連通している。さらに、左右の無目３の対向する小口には、それぞれ無目防水ブロック８が設けてある。無目防水ブロック８の形状は、図８（ａ）に示すものであり、前後方向に延びる胴部８５と、胴部８５の他方の無目３と対向する側に形成した見込面８１と、胴部８５の室内側に形成した室内側面８２と、胴部８５の室外側に形成した室外側面８６と、室外側面８６の下端の下面８４と、胴部８５の下側に形成したリブ８７とを有し、胴部８５とリブ８７の間に溝部８８が形成されている。また、胴部８５の上面８３は、見込面８１側に向けて上向きに傾斜しており、見込面８１の下端面８９は、見込面８１側に向けて下向きに傾斜している。このように形成した無目防水ブロック８は、図８（ｂ）に示すように、無目３の補強材３２及び延出部３３を溝部８８に挿入して無目３の小口に取り付けてある。この際、上面８３は、見込面８１側から、無目３の見込面である補強材３２及び延出部３３に向けて下り勾配で傾斜し、室内側面８２は無目３の室内側面３１と面一になり、室外側面８６は無目３の延出部３３の室外側面３５と略面一になる。また、連結部Ｊ近傍において、無目３の室外側面には排水窓３７を形成してあり、延出部３３には室外側面３５及び係合部３６の一部を切り欠いた切欠部３８が形成してある。さらに、無目３の押縁１０には、室内側面と見込面のそれぞれに排水孔１０ａ，１０ｂが形成してある。また、下側の方立２に設けた押縁５の上端小口には、押縁防水ブロック９が設けてある。押縁防水ブロック９は、縦断面が台形で、下面には突出部（図示省略）を備え、この突出部を押縁５の上端に差し込んである。なお、各防水ブロックは、シリコンスポンジゴムからなる。
【００１９】
そして、これらの方立１，２及び無目３を、ブラケット１００により連結する。ブラケット１００は十字形で、上下左右に延びる腕部１０１を有している。まず、下側の方立２を、ブラケット１００の下側の腕部１０１にネジ止めする（図２の状態）。続いて、上側の方立１を、ブラケット１００の上側の腕部１０１にネジ止めする（図３の状態）。この際、上方立防水ブロック６の下面６２が、下方立防水ブロック７の上面７１に圧接する。そしてこの状態では、上側の方立１、その延出壁部１１及び下側の方立２が左右方向から見て略コ字形になっており、その開口部に左右の無目３が嵌るように、それぞれブラケット１００の左右の腕部１０１にネジ止めする（図１の状態）。この際、両無目防水ブロック８の見込面８１が互いに圧接し、また上方立防水ブロック６の室外側面６１が無目防水ブロック８の室内側面８２及び無目３の室内側面３１に圧接する。また、下側の方立２の取付溝２３に押縁５を取り付け、押縁５の押縁防水ブロック９の上面９１が無目防水ブロック８の下面８４に圧接する。さらに、上側の方立１の取付溝１３及び左右の無目３の延出部３３にそれぞれ押縁４，１０を取り付け、上側の押縁４の下端が押縁防水ブロック９に圧接し、上下の押縁４，５及び左右の押縁１０は面一となる。なお、上側の方立１の下端と左右の無目３との間及び上側の押縁４と左右の押縁１０との間はシール材Ｓによりシールしてある（図４の状態）。
【００２０】
このように構成したカーテンウォールの連結部Ｊにおいては、上側の方立１の延出壁部１１に設けた上方立防水ブロック６が無目３の室内側面３１に対向しており、無目防水ブロック８の室内側面８２が上方立防水ブロック６の室外側面６１に圧接していることから、水が上方立防水ブロック６より室内側に浸入するのを確実に防ぐことができる。また、無目３の室内側面３１が上方立防水ブロック６の室外側面６１に圧接していることから、方立１，２に対する無目３の水平方向の角度変位の許容範囲が拡大し、多少のズレが有る場合でも防水性を確保できる。さらに、無目防水ブロック８の胴部８５の上面８３が傾斜しているので、図１中の一点鎖線で示すように、水が連結部Ｊから左右の無目３の補強材３２又は延出部３３に導かれる。補強材３２に導かれた水は、補強材３２が室外側に向けて下向きに傾斜しているから、排水窓３７を通って延出部３３へ流れる。そして延出部３３に導かれた水は、切欠部３８又は押縁１０の排水孔１０ａ，１０ｂを通って室外側に排水される。さらに、互いに圧接する見込面８１に水が浸透した場合でも、その水は下方立防水ブロック７の排水部７２から下側の方立２の中空部２２へと導かれ、当該連結部Ｊの一段下の連結部に到達し、無目防水ブロックにより左右方向に導かれる。また、下側の押縁５に設けた押縁防水ブロック９の上面９１が無目防水ブロック８の下面８４に圧接しているので、押縁５の上端部からの水の浸入を防ぐことができる。そして上側の押縁４の下端が押縁防水ブロック９に圧接しているから、上下の押縁４，５の間にシール材を用いる必要がなく、また上側の押縁４により無目防水ブロック８及び押縁防水ブロック９が覆い隠され、さらに上下の押縁４，５と左右の押縁１０とが面一となるから、外観が良好である。そしてこのように押縁４，５，１０を設けることで、室外側から浸入する水に対して、まず押縁４，５，１０が防水機能を発揮し、そこから浸入したとしても、さらにその室内側の無目防水ブロック８、上方立防水ブロック６及び下方立防水ブロック７が防水機能を発揮する二重の防水構造となるので、防水性が非常に高い。さらに、十字形のブラケット１００のそれぞれの腕部１０１に上下の方立１，２及び左右の無目３を連結すればよいので、連結部Ｊにおける方立１，２及び無目３の位置決めが容易である。
【００２１】
また、図９に示すように、方立及び無目に嵌め込まれたガラスパネルＰが層間変位した場合でも、無目防水ブロック８の上面８３及び下端面８９が傾斜しているから、ガラスパネルＰと無目防水ブロック８との衝突を回避できる。
【００２２】
本発明は、上記の実施形態に限定されない。各防水ブロックの形状は、上記の作用効果を奏するものであれば、方立や無目の形状等に合わせて適宜変更できる。また、各防水ブロックの素材は、他の部材と圧接して水の浸入を防ぐことができるものであればどのようなものでもよい。
【符号の説明】
【００２３】
１  方立（上側）
２  方立（下側）
３  無目
５  押縁（下側）
６  上方立防水ブロック
７  下方立防水ブロック
８  無目防水ブロック
９  押縁防水ブロック
１１  延出壁部
１２，２２  中空部
３１  室内側面（無目）
６１  室外側面（上方立防水ブロック）
６２  下面（上方立防水ブロック）
７１  上面（下方立防水ブロック）
７２  排水部
８１  見込面（無目防水ブロック）
８２  室内側面（無目防水ブロック）
８３  上面（無目防水ブロック）
８４  下面（無目防水ブロック）
９１  上面（押縁防水ブロック）
１００  ブラケット
１０１  腕部
【図１】
2011021372.tif 000003
【図２】
2011021372.tif 000004
【図３】
2011021372.tif 000005
【図４】
2011021372.tif 000006
【図５】
2011021372.tif 000007
【図６】
2011021372.tif 000008
【図７】
2011021372.tif 000009
【図８】
2011021372.tif 000010
【図９】
2011021372.tif 000011